(57)【要約】基層および最上層を含む層状アセンブリが提供される。パウチ領域が、基層と最上層との間に設置され、基層を最上層に貼り付けることによって作製される。基層を通るパウチ領域へのアクセスを提供するように、基層の周囲内に開口部が提供される。パウチ領域内に品目を装填することができる。いったん層状アセンブリが基板に貼り付けられると、基層の開口部は、アクセスから密封される。剥離部に沿った最上層の一部の除去が、最上層を通るパウチ領域へのアクセスを提供するように、最上層の周囲内に剥離部が設置される。剥離部の除去により、層状アセンブリ内に固定される品目が露出する。【選択図】図２
2012527385.tif 000002
【特許請求の範囲】
【請求項１】
第１の側面および第２の側面を有する基層と、
前記基層の前記第１の側面上に提供される第１の接着剤層と、
前記基層の前記第２の側面上に提供される第２の接着剤層と、
第１の側面および第２の側面を有する最上層であって、前記第２の接着剤層が、前記最上層の前記第２の側面に固定される、最上層と、
前記基層を通るアクセスを提供するための前記基層の周囲内の開口部と、
前記最上層の周囲内に設置される剥離部と、を備える、層状アセンブリ。
【請求項２】
前記基層の前記第１の側面を実質的に被覆する前記基層に載置される第１のライナー層と、
前記最上層の前記第２の側面を実質的に被覆する前記最上層に載置される第２のライナー層と、をさらに備える、請求項１に記載の層状アセンブリ。
【請求項３】
前記基層の前記第１の側面を実質的に被覆する前記基層に載置される第１のライナー層であって、前記第１のライナー層は、基板に接着するよう構成される前記基層の前記第１の側面を露出するために、前記基層から除去されるよう構成され、前記基板は、以下、封筒、小包、郵送封筒、カード、雑誌、書籍、食品包装、織物、またはイベント招待状のうちの１つを含む、第１のライナー層をさらに備える、請求項１に記載の層状アセンブリ。
【請求項４】
前記基層の前記第１の側面を実質的に被覆する前記基層に載置される第１のライナー層であって、前記第１のライナー層は、その中に前記基層内の前記開口部に対応する開口部を有し、前記第１のライナー層内の前記開口部および前記基層内の前記開口部の両方を通るアクセスが提供され得るようにする、第１のライナー層をさらに備える、請求項１に記載の層状アセンブリ。
【請求項５】
前記開口部の大きさを制限するために、前記基層内にタブ部をさらに備える、請求項１に記載の層状アセンブリ。
【請求項６】
前記タブ部は、前記基層を通るパウチ切り込みによって形成される、請求項５に記載の層状アセンブリ。
【請求項７】
前記最上層は、透明部を含む、請求項１に記載の層状アセンブリ。
【請求項８】
品目と前記基層の前記第２の側面との間に連結されるバネアセンブリをさらに備える、請求項１に記載の層状アセンブリ。
【請求項９】
前記基層の前記第１の側面および前記第２の側面は、その上に印刷される画像を有する、請求項１に記載の層状アセンブリ。
【請求項１０】
その上で前記層状アセンブリを載置し、切り離すことができるキャリアシートをさらに備える、請求項１に記載の層状アセンブリ。
【請求項１１】
その上で前記層状アセンブリを載置し、切り離すことができるキャリアロールをさらに備える、請求項１に記載の層状アセンブリ。
【請求項１２】
その上で前記層状アセンブリを取り出すことができる単一の箱体をさらに備える、請求項１に記載の層状アセンブリ。
【請求項１３】
前記剥離部は、一方向に少なくとも１回の９０度回転を伴う形状を含むジッパーミシン目である、請求項１に記載の層状アセンブリ。
【請求項１４】
前記最上層の上部に存在し、前記最上層の前記剥離部が除去される時に、前記最上層の断裂に抵抗するよう構成される薄板層をさらに備える、請求項１に記載の層状アセンブリ。
【請求項１５】
前記最上層または前記基層のうちの少なくとも１つに設置される芳香物質またはスクラッチ式の物質のうちの少なくとも１つをさらに備える、請求項１に記載の層状アセンブリ。
【請求項１６】
前記基層と前記最上層との間に設置されるパウチ領域であって、前記剥離部に沿った前記最上層の部分の除去が、前記最上層を通る前記パウチ領域へのアクセスを提供する、パウチ領域をさらに備える、請求項１に記載の層状アセンブリ。
【請求項１７】
前記パウチ領域内に設置される品目をさらに備え、前記品目は、写真、絵画、図面、Ｚ折品目、情報媒体、冊子、優待券、広告、または揺動物体のうちの少なくとも１つである、請求項１６に記載の層状アセンブリ。
【請求項１８】
第１の側面および第２の側面を有する基層と、
前記基層の前記第１の側面に載置される第１のライナー層と、
第１の側面および第２の側面を有し、前記基層の前記第２の側面に載置される最上層と、
前記基層と前記最上層との間に設置されるパウチ領域と、
前記基層を通る前記パウチ領域へのアクセスを提供するように、前記基層の周囲内に設置される開口部と、
前記剥離部に沿った前記最上層の一部の除去が、前記最上層を通る前記パウチ領域へのアクセスを提供するように、前記最上層の周囲内に設置される剥離部と、を備える、層状アセンブリ。
【請求項１９】
前記最上層の前記第２の側面を実質的に被覆する前記最上層に載置される第２のライナー層をさらに備える、請求項１８に記載の層状アセンブリ。
【請求項２０】
前記第１のライナー層は、基板に接着するよう構成される前記基層の前記第１の側面を露出するために、前記基層から除去されるよう構成され、前記基板は、以下、封筒、小包、郵送封筒、カード、雑誌、書籍、食品包装、織物、またはイベント招待状のうちの１つを含む、請求項１９に記載の層状アセンブリ。
【請求項２１】
前記第１のライナー層は、その中に前記基層内の前記開口部に対応する開口部を有し、前記第１のライナー層内の前記開口部および前記基層内の前記開口部の両方を通るアクセスが提供され得るようにする、請求項１８に記載の層状アセンブリ。
【請求項２２】
前記開口部の大きさを制限するために、前記基層内にタブ部をさらに備える、請求項１８に記載の層状アセンブリ。
【請求項２３】
前記タブ部は、前記基層および前記第１のライナー層を通るパウチ切り込みによって形成される、請求項２２に記載の層状アセンブリ。
【請求項２４】
その上で前記層状アセンブリを載置し、切り離すことができるキャリアシートをさらに備える、請求項１８に記載の層状アセンブリ。
【請求項２５】
その上で前記層状アセンブリを載置し、切り離すことができるキャリアロールをさらに備える、請求項１８に記載の層状アセンブリ。
【請求項２６】
その上で前記層状アセンブリを取り出すことができる単一の箱体をさらに備える、請求項１８に記載の層状アセンブリ。
【請求項２７】
前記剥離部は、一方向に少なくとも１回の９０度回転を伴う形状を含むジッパーミシン目である、請求項１８に記載の層状アセンブリ。
【請求項２８】
前記最上層の上部に存在し、前記最上層の前記剥離部が除去される時に、前記最上層の断裂に抵抗するよう構成される薄板層をさらに備える、請求項１８に記載の層状アセンブリ。
【請求項２９】
前記パウチ領域内に設置される品目をさらに備え、前記品目は、写真、絵画、図面、Ｚ折品目、情報媒体、冊子、優待券、広告、または揺動物体のうちの少なくとも１つである、請求項１８に記載の層状アセンブリ。
【請求項３０】
第１の側面および第２の側面を有する基層と、
前記基層の前記第１の側面に載置される第１のライナー層と、
第１の側面および第２の側面を有し、前記基層の前記第２の側面に載置される最上層であって、前記最上層の少なくとも一部は、郵便料金領域を含む、最上層と、
前記基層と前記最上層との間に設置されるパウチ領域と、
前記基層を通る前記パウチ領域へのアクセスを提供するように、前記基層の周囲内に設置される開口部と、
前記剥離部に沿った前記最上層の一部の除去が、前記最上層を通る前記パウチ領域へのアクセスを提供するように、前記最上層の周囲内に設置される剥離部と、を備える、層状アセンブリ。
【請求項３１】
前記郵便料金領域は、前記剥離部内に設置される内部に対応する、請求項３０に記載の層状アセンブリ。
【請求項３２】
前記郵便料金領域は、前記剥離部内に設置される内部に対応し、前記内部は、予印刷された郵便切手を含む、請求項３０に記載の層状アセンブリ。
【請求項３３】
前記郵便料金領域は、前記剥離部内に設置される内部に対応し、前記内部は、カスタマイズされた郵便切手を含む、請求項３０に記載の層状アセンブリ。
【請求項３４】
前記郵便料金領域は、前記剥離部内に設置される内部に対応し、前記最上層は、前記剥離部の外側上の縁部をさらに含み、前記縁部は、前記郵便料金領域が、有効な郵便切手を含むことを示すよう構成される料金別納郵便証またはテキストのうちの少なくとも１つを含む、請求項３０に記載の層状アセンブリ。
【請求項３５】
前記第１のライナー層は、基板上に載置されるよう構成される前記基層の前記第１の側面を露出するために、前記基層の前記第１の側面から除去されるよう構成され、前記基板は、以下、封筒、小包、郵送封筒、カード、雑誌、書籍、食品包装、織物、またはイベント招待状のうちの１つを含む、請求項３０に記載の層状アセンブリ。
【請求項３６】
その上で前記層状アセンブリを載置し、切り離すことができるキャリアシートをさらに備える、請求項３０に記載の層状アセンブリ。
【請求項３７】
その上で前記層状アセンブリを載置し、切り離すことができるキャリアロールをさらに備える、請求項３０に記載の層状アセンブリ。
【請求項３８】
その上で前記層状アセンブリを取り出すことができる単一の箱体をさらに備える、請求項３０に記載の層状アセンブリ。
【請求項３９】
前記開口部の大きさを制限するために、前記基層内にタブ部をさらに備える、請求項３０に記載の層状アセンブリ。
【請求項４０】
前記剥離部は、一方向に少なくとも１回の９０度回転を伴う形状を含むジッパーミシン目である、請求項３０に記載の層状アセンブリ。
【請求項４１】
前記最上層の上部に存在し、前記最上層の前記剥離部が除去される時に、前記最上層の断裂に抵抗するよう構成される薄板層をさらに備える、請求項３０に記載の層状アセンブリ。
【請求項４２】
前記パウチ領域内に設置される品目をさらに備え、前記品目は、写真、絵画、図面、Ｚ折品目、情報媒体、冊子、優待券、広告、または揺動物体のうちの少なくとも１つである、請求項３０に記載の層状アセンブリ。
【発明の詳細な説明】
【技術分野】
【０００１】
（関連出願への相互参照）
本出願は、２００９年５月２０日に出願され、画像パウチの表題である、米国暫定特許出願第６１／１７９，８８４号の利益を主張する。
本発明は、層状アセンブリに関し、より具体的には、２つ以上の層を有するアセンブリに関し、層の間の空間が品目を受容するためのパウチ領域を提供する。
【背景技術】
【０００２】
先行技術の記述
【０００３】
グリーティングカードは、典型的には、静的設計で大量に印刷される。それらを、一般的には、Ｈａｌｌｍａｒｋ等のカード店、書店、および他の小売店舗で購入することができる。ユーザがグリーティングカードを購入した後、グリーティングカードに個人化された情報を手書きし、それらを親族、友人、または取引先へ郵送することができる。カード印刷自動販売機が開発され、カード購入者は、実際のカードが印刷される前に、カードのデザインを選択し、自らの個人化されたメッセージを入力することが可能となった。
【０００４】
近年において、カリフォルニア州レッドウッド市に拠点を置くＳｈｕｔｔｅｒｆｌｙ社等のオンライン写真サービスによって、ユーザが自らのデジタル写真画像をアップロード、保存、および共有するサービスが確立された。ユーザは、写真、写真集、ＣＤ等の物理的な写真商品を注文することができる。印刷注文は、自動デジタルプリンタを用いて実行され、ユーザによって特定される受取人に発送される。しかしながら、ユーザは、典型的には、設定および印刷費を節約するために、写真商品を大量に注文しなければならない。さらに、写真は、商品から分離可能ではないので、商品の受取人による写真の使用を制限することになる。
【０００５】
ユーザが自らの画像または写真を撮り、ｓｔａｍｐｓ．ｃｏｍ（登録商標）等のサービスを介して、それらを本物の米国郵便料金にすることができる、写真切手も利用可能である。ユーザは、写真をアップロードし、それをカスタマイズし、それらを注文することのみ必要とされている。次に、切手は、ｓｔａｍｐｓ．ｃｏｍ（登録商標）社によって印刷され、使用のためにユーザに送付される。しかしながら、個人化された切手の受取人が、個人化された切手を有する手紙、カード、または小包を郵送で受容する時、切手は、その時までには、切手を横断して郵便局からの消印を有しており、それによって、個人化された画像または写真の外観を損なってしまう。
【０００６】
企業もまた、個人化された商品を利用することができる。個人化された画像を用いることにより、多くのマーケティング機会が可能となる。例えば、個人化された画像を、ロゴ、商品紹介、広告、特別イベント、社用ギフト等に使用することができる。
【発明の概要】
【０００７】
以下は、本発明のいくつかの態様の基本的な理解を提供するために、本発明の簡易的な概要を示す。本概要は、本発明の広範な概説ではない。本発明の重要または重大な要素を同定することも、本発明の範囲を線引きすることも意図しない。その唯一の目的は、後に示されるより詳細な記述への前置きとして、本発明のいくつかの概念を簡易的な形式で示すことである。
【０００８】
本発明のある態様に従って、第１の側面および第２の側面を有する基層、基層の第１の側面上に提供される第１の接着剤層、基層の第２の側面上に提供される第２の接着剤層、第２の接着剤層が最上層の第２の側面に固定される、第１の側面および第２の側面を有する最上層、基層を通るアクセスを提供するための基層の周囲内の開口部、ならびに最上層の周囲内に設置される剥離部を備える層状アセンブリが提供される。
【０００９】
本発明の別の態様に従って、第１の側面および第２の側面を有する基層、基層の第１の側面に載置される第１のライナー層、第１の側面および第２の側面を有し、基層の第２の側面に載置される最上層、基層と最上層との間に設置されるパウチ領域、基層を通るパウチ領域へのアクセスを提供するために、基層の周囲内に設置される開口部、ならびに最上層の一部を除去するように、最上層の周囲内に設置される剥離部を備える層状アセンブリが提供される。
【００１０】
本発明の別の態様に従って、第１の側面および第２の側面を有する基層、基層の第１の側面に載置される第１のライナー層、第１の側面および第２の側面を有し、基層の第２の側面に載置される最上層、基層と最上層との間に設置されるパウチ領域、基層を通るパウチ領域へのアクセスを提供するために、基層の周囲内に設置される開口部、ならびに最上層の一部を除去するように、最上層の周囲内に設置される剥離部を備える層状アセンブリが提供される。
【００１１】
本発明の別の態様に従って、第１の側面および第２の側面を有する基層、基層の第１の側面に載置される第１のライナー層、最上層の少なくとも一部が郵便料金領域を含む、第１の側面および第２の側面を有し、基層の第２の側面に載置される最上層、基層と最上層との間に設置されるパウチ領域、基層を通るパウチ領域へのアクセスを提供するために、基層の周囲内に設置される開口部、ならびに最上層の一部を除去するように、最上層の周囲内に設置される剥離部を備える層状アセンブリが提供される。
【００１２】
以下の記述および付属図面は、本発明のある特定の例示的な態様を詳細に説明する。しかしながら、これらの態様は、本発明の原理を採用し得る少数の様々な方法を示し、本発明は、全てのそのような態様およびそれらの同等物を含むよう意図される。本発明の他の目的、利点、および新規の特徴は、図面とともに考慮される時、以下の本発明の詳細記述から明らかとなる。
【図面の簡単な説明】
【００１３】
添付図面に関連する以下の記述を読解する時に、本発明が関する本発明の前述および他の特徴ならびに利点は、当業者にとって明らかとなる。
【００１４】
【図１】図１は、表面上の層状アセンブリ例の正面図を示す。
【００１５】
【図２】図２は、図１の層状アセンブリの例に含まれる層の斜視図を示す。
【００１６】
【図３】図３は、図１の層状アセンブリの正面図を示す。
【００１７】
【図４】図４は、図１の層状アセンブリの後面図を示す。
【００１８】
【図５】図５は、品目が層状アセンブリのパウチ領域内に挿入される時の、図１の層状アセンブリの後面図を示す。
【００１９】
【図６】図６は、パウチ領域にアクセスするために、タブ部を部分的に開放した、図５の層状アセンブリの斜視図を示す。
【００２０】
【図７】図７は、品目が層状アセンブリのパウチ領域内に挿入される時の、図６の側面図を示す。
【００２１】
【図８】図８は、層状アセンブリの第２の例に含まれる層の斜視図を示す。
【００２２】
【図９】図９は、穿孔部の内部に設置される郵便料金領域を有する第３の層状アセンブリ例の正面図を示す。
【００２３】
【図１０】図１０は、穿孔部に重なる郵便料金領域を有する第３の層状アセンブリ例の正面図を示す。
【００２４】
【図１１】図１１は、穿孔部の外側に設置される郵便料金領域を有する第３の層状アセンブリ例の正面図を示す。
【００２５】
【図１２】図１２は、水平配向の郵便料金領域を有する第３の層状アセンブリ例の正面図を示す。
【００２６】
【図１３】図１３は、第４の層状アセンブリ例の正面図を示す。
【００２７】
【図１４】図１４は、複数の層状アセンブリを含む、垂直配向のキャリアシートアセンブリ例の正面図を示す。
【００２８】
【図１５】図１５は、図１４の後面図を示す。
【００２９】
【図１６】図１６は、複数の層状アセンブリを含む、水平配向のキャリアシートアセンブリ例の正面図を示す。
【００３０】
【図１７】図１７は、図１６の後面図を示す。
【００３１】
【図１８】図１８は、キャリアロールの少なくとも１つの層状アセンブリの斜視図を示す。
【００３２】
【図１９】図１９は、複数の層状アセンブリを販売するための単一の箱体の斜視図を示す。
【００３３】
【図２０】図２０は、層状アセンブリを形成するための２シートシステムの斜視図を示す。
【発明を実施するための形態】
【００３４】
最初に図１を参照して、層状アセンブリ１０が示される。層状アセンブリ１０は、基板２０上に載置される。層状アセンブリ１０を、封筒、小包、郵送封筒、カード、雑誌、書籍、食品包装、織物、衣類、イベント招待状、または任意の他の好適な物質もしくは構造を含むが、それらに限定されない、基板２０の表面に固定することができる。任意の大きさまたは形状を各々の層状アセンブリ１０に提供することができる。
【００３５】
図２に示されるように、層状アセンブリ例１０に含まれる層の斜視図が示される。層状アセンブリ例１０は、ライナー層１２、基層３０、および最上層４０を含む。最上層４０が本明細書において最上層４０と称されているが、任意の他の好適な層を最上層４０の上部に位置付けることができることも理解される。言い換えれば、最上層４０が画像アセンブリの最上部の層であることを必ずしも意味しない。最上層４０、ライナー層１２、および基層３０、あるいは任意の他の層は、透明、半透明、または不透明であってもよく、絵画もしくは他のテキストを有し得る。最上層４０等の層のいずれかは、印刷、テキスト、画像、および透明窓または半透明部の様々な組み合わせを含むことができる。
【００３６】
基層３０は、第１の側面３２および第２の側面３３を含む。基層３０をカスタマイズするために、画像および／またはテキストを、第１の側面３２または第２の側面３３のいずれかに印刷することができる。基層３０の各々の側面３２、３３は、製造後空白であり得るか、あるいは、側面の１つもしくは両方を画像またはテキストで印刷することができるか、あるいは側面の１つもしくは両方を予印刷することができる。第１の側面または第２の側面上に芳香物質および／またはスクラッチ式の物質を提供することもできる。
【００３７】
ライナー層１２は、基層３０の第１の側面３２に載置される。ライナー層１２は、基層３０の第１の側面３２を実質的に被覆している。基層３０の第１の側面３２は、接着する側面であり得るか、接着剤層を含み得る。基層３０の第１の側面３２を他の物体に接着させるために塗装を提供することができる。ライナー層１２は、層状アセンブリ１０が、図１に示される封筒等の基板２０に接着される準備ができるまで、基層３０上の接着剤層を保護するための保護ライナーであり得る。ライナー層１２を、接着剤層または粘着性表面を露出するために、基層３０から剥離することができる。ライナー層１２が除去された後、層状アセンブリ１０を密封するか、あるいは基板２０に取り付けることができる。
【００３８】
最上層４０は、第１の側面４２および第２の側面４４を含む。最上層４０の第１の側面４２は、図２に示されるように、基層３０の第２の側面３３に載置される。基層３０は、多くの異なる構造を用いる多くの異なる様式で、最上層４０に貼り付けられるか、あるいは載置される。一例において、基層３０および最上層４０の中間部が、接着剤が使われていないか、あるいは他の取り付け構造であるように、接着剤を基層３０および最上層４０の外側部に沿って提供することができる。
【００３９】
最上層４０をカスタマイズするために、画像および／またはテキストを、第１の側面４２または第２の側面４４上のいずれかに印刷することができる。最上層４０の各々の側面４２、４３は、製造後空白であり得るか、あるいは側面の１つまたは両方を画像もしくはテキストで印刷することができるか、あるいは側面の１つまたは両方を予印刷することができる。他の例において、最上層４０の一部分もしくは全部分は、透明、部分的に透明、または不透明であり得る。芳香物質および／またはスクラッチ式の物質を、第１の側面４２または第２の側面４４のいずれかに提供することもできる。
【００４０】
最上層４０は、剥離部または任意の他の剥離構造を含み得る。例えば、剥離構造は、任意の断裂を引き起こすことなく最上層４０から除去されることが可能である、より粘着性のある外側部を含み得る。剥離構造の他の例を提供することもできる。この例において、剥離部は、穿孔部５０である。
【００４１】
穿孔部５０の例において、示される形状および大きさを含むが、それらに限定されない、多種多様の形状および大きさを有し得る。最上層４０の内部６４の一部または全体の内部６４の除去の容易さを促進するために、穿孔部５０を、内部６４の端部の一部にのみ提供することができるか、あるいは内部６４の端部周囲全体に提供することができる。示される例において、穿孔部５０は、最上層４０の内部内において長方形である。アセンブリから最上層４０を部分的に除去または完全に除去するために、穿孔部５０を使用することができる。
【００４２】
さらなる例において、最上層４０の少なくとも１つの角部は、剥離タブ６０を有することができる。層状アセンブリ１０内に装填される品目７２を露出するために、ユーザは、最上層４０の一部を剥離するよう剥離タブ６０を摘み上げることができる。ミシン目の製造中または別々のダイカット工程等の別々の製造ステップ中に、タブ部または最上層４０の剥離タブ６０を作製することができる。タブを作製するための任意の好適な工程を採用することができることが理解される。最上層４０の剥離タブ６０が丸みを帯びた角部を有する、最上層４０の例が図３に示される。各々の他の角部は、穿孔部５０の円滑で容易な除去を促進するために、曲線形状も有し得る。
【００４３】
最上層４０は、穿孔部５０の外側に設置される縁部６２および穿孔部５０の内部に位置付けられる内部６４をさらに含むことができる。交互に、または追加的に、内部６４の少なくとも１つの角部は、タブ６０等の容易に上げられるタブを含んでもよく、あるいはさもなければ、縁部６２からの内部６４の容易な除去を促進するよう適切に構成することができる。別の代替案として、ユーザが全体の最上層４０を除去することができるようにアセンブリ１０を構成することができる。縁部６２は、テキスト、画像、または料金別納郵便証を含むこともできる。例えば、画像が米国切手であることを示すか、あるいは内部６４中に画像またはテキストの説明文を提供するために、縁部６２内にテキストを提供してもよい。例えば、縁部６２は、「アメリカ合衆国４４セント」「アメリカ合衆国ファーストクラスフォーエバー」等を提示するテキストを有することができる。
【００４４】
アセンブリ１０の別の部分からの不注意による剥離を防止または制限するよう縁部６２を構成することができる。縁部６２は、若干の接着剤があるため、他の層と比較してわずかに大きな厚さを有する。例えば、別の物体または別の紙切れが郵送で図らずも層状アセンブリ１０の全域で摺動する場合、他の物体は、まず縁部６２上を、続いて接着剤を含まない内部６４上を摺動する。したがって、他の物体はタブと相互作用しない。したがって、穿孔部５０からの不注意による剥離を制限することにより、層状アセンブリ１０は、ユーザに、アセンブリが無傷であることをユーザが視覚的に認識できる安全機能を提供する。穿孔部５０に手を加えられた場合、それは別の人が層状アセンブリ１０を開封するよう試みたことを示す。層状アセンブリ１０は、層状アセンブリ１０が手を加えられたか、あるいは最上層４０が部分的に除去されたかをユーザに明確にする。
【００４５】
最上層４０は、紙、プラスチック等の任意の好適な物質で構成される。あるいは、所望の場合、縁部６２を内部６４と異なる物質から構成することができる。任意の好適な物質を縁部６２および内部６４に使用することができることが理解される。両方の物質は、その事情で使用される場合、標準の配送に十分に耐え抜く耐久性があるよう構成されるべきである。最上層４０の縁部６２を、全ての側面で基層３０に恒久的に貼り付けることができる。次に、基層３０と最上層４０との間に挿入される１つ以上の層を露出するために内部６４を除去することができる。
【００４６】
ミシン目の他の形式を提供することができるが、この例において、穿孔部５０にジッパーミシン目が提供される。ジッパーミシン目は、穿孔部５０の線が複数の方向に移動できるよう構成される。さらに、図３でより明瞭に示されるように、穿孔部５０は、閉鎖したループ構成であることができ、穿孔部５０の線に対して四角形例で示されるような３６０度の移動をもたらす。例えば、図３に示される長方形において、穿孔部５０は、水平および垂直線形式ミシン目の両方を含む。ミシン目の各々の個々の切り込みは、第１の辺５２および第２の辺５４を有する鈍角を備え、第１の辺５２は、第２の辺５４よりも長い。ミシン目切り込みの第１の辺５２が分離されることが所望される端部に沿って直線状に配置されるよう、ミシン目を配置することができる。図３に示されるように、底部５６上の水平なミシン目切り込みを、右に角度が開くように配置することができ、左部の垂直なミシン目切り込みを、右に角度が開くように配置することができる。穿孔部５０の線が、左上端から上端等の一方向に少なくとも１回の９０度回転を有する時、ミシン目切り込みの第１の辺５２および第２の辺５４は、配向に反転する。したがって、左部５７が内部に向かって延在する第２の辺５４を有する一方で、上部５８は、最上層４０の外側に向かって延在する第２の辺５４を有する。あるいは、底部５６が内部に向かって延在する第２の辺５４を有する一方で、右部５９は、最上層４０の外側に向かって延在する第２の辺５４を有する。配向の変化は、穿孔部５０が角部周囲を円滑に引き裂くことができるよう構成される。加えて、第１の辺５２と第２の辺５４との間の角度は、この例において、同一の方向に、右へ、各々の部分５６、５７、５８、５９に沿って開く。したがって、２つ以上の方向で延在するミシン目を提供することができる。加えて、複数の異なる辺および辺に対する異なる配向を含む様々な形状および大きさで、任意の他の好適なミシン目および構成を採用できることが理解される。
【００４７】
図４に示されるように、基層３０およびライナー層１２の図が示される。基層３０の接着剤層または第１の側面の粘着性表面を露出するために、角部のいずれかにタブを提供することによって、ライナー層１２を基層３０から剥離することができる。あるいは、ユーザは、ライナー層１２の周囲に沿った任意の部分で基層３０からライナー層１２を分離しながら、ライナー層１２を剥離することができる。さらに別の例において、ユーザがライナー層１２をライナー層１２の別の部分から分離し、かつ接着する表面を露出するためにライナー層１２の各々の部分を基層３０から剥離することができるように、ライナー層１２を複数の部分に分割するための切り込み線３８を提供することができる。この例において、切り込み線３８は、ライナー層１２の中央に垂直に提供される。他の例において、切り込み線３８に、他の方向および直線もしくは曲線形状を提供することができる。他の例において、ライナー層１２に沿って異なる切り込みを提供すること等によって、ライナー層１２の他の位置を除去することができる。キスカット含むが、それらに限定されない、切り込みの任意の形式によって、切り込み線３８を形成することができる。キスカットは、切り込み線または使用することができる他の過程のほんの一例であり、ライナー層１２は、ライナー層１２の除去を促進する目的で他の切り込みの他の形式を含むことができ、かつキスカットを含むことに限定されない。ライナー層１２は、ユーザがライナー層１２を容易に剥離し、かつ基層３０の粘着性表面を露出することができる他の構造を含み得る。
【００４８】
層状アセンブリ１０は、媒体等の品目７２とともに装填されるよう構成される。品目７２は、その全体が参照により本明細書に組み込まれる、米国特許出願第２００５−０００１１１３号に記載されるような写真、絵画、図面、Ｚ折品目７２、情報媒体、冊子、優待券、広告、物体、または揺動物体を含むことができるが、それらに限定されない。品目７２は、層状アセンブリ１０内に装填することができる任意の他の好適な挿入物でもあり得る。品目７２を、その全体が参照により本明細書に組み込まれる、米国特許出願第２００７−００８９３３４号に記載されるようなバネアセンブリにさらに載置することもできる。
【００４９】
小包または封筒の受取人は、例えば、受取人の冷蔵庫に設置することができるパウチ領域内の揺動アセンブリを露出するために、層状アセンブリ１０の最上層４０の内部６４を除去することができる。揺動アセンブリの代わりに、あるいはそれに加えて、磁石、優待券、冊子、名刺、写真等の任意の他の好適な品目または品目７２を、品目７２とともにパウチ領域内の内部６４の下方に提供することができる。最上層４０は、層または下部の層を配送中の損傷から守るための物質から成り得る。
【００５０】
図４および図５に示されるように、基層３０の周囲内に設置される開口部３６も提供される。開口部３６は、存在する場合、基層３０およびライナー層１２に沿って提供される。開口部３６は、基層３０およびライナー層１２のパウチ切り込みによって提供される。最上層４０は、開口部３６が基層３０と最上層４０との間に設置されるパウチ領域内へのアクセスを提供するように、すでに基層３０に取り付けられている。パウチ切り込みは、図５に示されるように、ユーザが品目７２を開口部３６に挿入するために層状アセンブリ１０を操作することができるように一本の直線であり得る。パウチ切り込みは、開口部の多種多様の異なる形式を提供するために、複数の断片および様々な湾曲を有することもできる。多種多様の異なる切り込み工程によって、パウチ切り込みを提供することができる。
【００５１】
基層３０およびライナー層１２を通るパウチ切り込み３４は、ユーザが品目７２をパウチ領域内に容易に挿入するように、タブ部を操作することを可能にするためのタブ部３５を提供し得る。開口部３６の大きさを制限するために、タブ部を基層３０内に設置することができる。例えば、パウチ領域への開口部３６にアクセスするために、ユーザがタブ部３５を上げるか、および／または開けることができる。図６に示されるように、折り線に沿って、基層３０から離れてタブ部を操作することができる。図７に示されるように、基層３０から離れてタブ部を操作することによって、パウチ領域内に挿入される任意の大きさの品目７２に追加のアクセスを提供する。しかしながら、パウチ切り込み３４は、任意の所望の様式（例えば、垂直に、対角線上に等）で構成されてもよく、任意の好適な形状（例えば、自動車形状、ジーンズのポケット形状、円形等）および大きさであり得、本発明の範囲に収まるよう企図される。他の形状を提供することができるが、この例において、パウチ切り込みはＵ字形を有する。さらなる例では、開口部３６を制限または封鎖するためのタブ部３５に、他の構造を提供することができる。
【００５２】
図７はまた、層状アセンブリ１０のパウチ領域７０のある例を示す。パウチ領域７０は、基層３０と最上層４０との間に設置される空間である。パウチ領域７０は、基層３０と最上層４０との間の領域の実質的な部分に沿って延在することができる。これはパウチ領域の形状および大きさのほんの一例である。基層３０および最上層４０が、紙切れに相当する最小の厚さを有することができるので、パウチ領域は、いくつかの例において、紙切れまたは写真の大きさくらいの厚さのみであり得る。基層３０および最上層４０を、様々な様式で相互に載置することができる。一例では、パウチ領域内に挿入される任意の品目７０が層状アセンブリ１０の側面から落ちないことを保証するために、最上層４０および基層３０の端部に沿って接着剤を適用することができる。パウチ領域を形成するために他の過程も用いることができる。
【００５３】
ユーザは、層状アセンブリ１０のパウチ領域７０を任意の品目７２で装填する。ライナー層１２が提供される場合、第１のライナー層１２は、第１のライナー層１２の開口部および基層３０の開口部３６の両方を通るアクセスを提供することができるように、基層３０の開口部３６に対応する開口部を有することもできる。
この例において、いったん品目７２がパウチ領域７０内に位置付けられると、ユーザは、接着剤層を露出するために、基層３０の第１の側面から保護用ライナー層１２を除去することができる。次に、ユーザは、装填された品目７２を含む全体の層状アセンブリ１０を好適な基板２０に接着することができる。基層３０の全体の第１の側面が封筒等の基板２０に接着されるため、パウチ切り込みによって提供される開口部３６を通って品目７２を除去することができないので、パウチ領域７０は効率的に閉鎖される。したがって、基層３０の開口部３６はアクセスから密封される。最上層４０が剥離されるまで、品目７２は、視界またはアクセスから隠匿もしくは隠蔽される。品目７２は、パウチ領域７０から落ちること、および環境の両方から保護される。いったん層状アセンブリ１０が基板２０に固定されると、品目７２は、配送に十分に耐え抜く耐久性がある。したがって、最上層４０がその端部周囲で基層３０に固定されるため、層状アセンブリ１０の最上層４０の一部を除去することによってのみ品目７２にアクセスすることができる。
【００５４】
所望の場合、製造業者またはユーザによって、画像またはテキストの印刷を、基層３０のいずれかの側面および最上層４０のいずれかの側面のライナー層１２に提供することができる。したがって、画像および／または  をパウチの外側あるいはパウチ自体に提供することができる。例えば、図４を考慮して、ライナー層１２は、ユーザに「写真の面を下にしてこのパウチに滑り入れる」よう指示するテキスト等の、ライナー層１２の除去方法に関する指示を有するテキストを含むことができる。
【００５５】
図２に示される基層３０の第２の側面３３は、パウチ領域７０内で可視的である会社名および会社のロゴ等のテキストまたは画像を含むことができる。テキストまたは画像は、受取人が最上層４０の一部を除去し、かつ品目７２をパウチ領域７０から除去する時にのみ見られる。基層３０の第２の側面３３は、最上層４０の一部が剥離タブ６０を操作することによって除去された後に可視的である基層３０の部分である。
【００５６】
最上層４０の画像は、パウチ領域７０の外側から可視的であるテキスト、グラフィック、カバーグラフィック、またはテーマを指し得る。画像ならびにテキストを最上層４０に含むことができる。例えば、ユーザに「剥がして写真を見てお楽しみ下さい」と伝えるテキストを予印刷することができる。テキストおよび画像を内部６４内および／または縁部６２に沿って提供することができる。別の例では、ユーザは、最上層をプリンタ、レーザプリンタ、またはインクジェットプリンタに通すこと等によって最上層４０をカスタマイズすることができる。パウチ領域内の写真または他の媒体の全画像が、最上層４０を通して見られるか、部分的に見られるか、あるいは見られないかのいずれかとなるように、最上層４０は、透明、半透明、またはさらには不透明であり得ることが理解される。最上層４０の第１の側面または基層３０の第２の側面のいずれかのパウチ内に芳香物質および／またはスクラッチ式の物質を提供することもできる。
【００５７】
さらに別の例において、最上層４０の一部またはさらには最上層４０の全体が郵便料金領域であり得る。例えば、図３に示される最上層４０の内部６４は、郵便料金領域に相当し、画像または白頭ワシの画像等の予印刷された郵便切手を含むことができる。あるいは、最上層４０の内部６４は、郵便切手用にウェブサイトから選択されたもの等のカスタマイズされた画像またはテキストを含むことができる。さらに別の代替案では、最上層４０は、ユーザが郵便切手を貼り付ける領域であり得る。さらに、縁部は、予印刷もしくはカスタマイズされた郵便切手が有効、公式、または合法であることを示すために、様々な料金別納郵便証またはテキストを含むことができる。例えば、縁部６２は、「アメリカ合衆国４４セント」「アメリカ合衆国ファーストクラスフォーエバー」等を提示するテキストを含むことができる。この例において、層状アセンブリ１０は、概して、郵便切手の大きさに相当し得る。層状アセンブリ１０は、米国郵政公社等の郵政公社によって承認された郵便切手であるよう構成される。消費者または製造業者は、パウチ領域７０内に品目７２を入れることができる。したがって、最上層が郵便切手である例において、郵便切手自体が、層状アセンブリ１０のパウチ領域７０内に品目７２を保持するよう構成される。
【００５８】
図示されないが、品目７２および／または基層３０が、基材もしくは基板２０または層状アセンブリ１０が載置される他の表面に対して時計回りおよび反時計回り運動で揺動することができるように、品目７２および／または基層３０をバネアセンブリ上に載置することができる。したがって、一例では、少なくとも１つの品目７２を層状アセンブリ１０のパウチ領域７０内に装填することができる。品目７２をバネアセンブリ上に載置することができるか、あるいはパウチは、パウチと基層３０との間にバネアセンブリを有することができる。層状アセンブリ１０を封筒等の基板２０に取り付けるために、ライナー層１２を解放することができる。基板２０の受取人は、バネアセンブリ上に載置され、かつ揺動し得る品目７２を露出するために、層状アセンブリ１０の前面を剥離することができる。バネアセンブリの両側面は、その上で恒久的であるか、除去可能であるか、あるいは再位置付け可能である接着剤層のうちの１つを含むことができる。基層３０は、基材もしくは基板２０に恒久的または除去可能に連結されてもよい。層（平面層、揺動層等）の任意の数および形式を最上層４０の下に提供することができることがさらに理解される。バネアセンブリは、その全体が参照により本明細書に組み込まれる、同時係属米国特許出願第２００７−００８９３３４号に開示されるバネアセンブリに実質的に類似し得る。しかしながら、任意の他の好適なバネアセンブリを採用することもでき、本発明の範囲内に収まるように企図することが理解される。あるいは、またはさらに、基層３０は、磁石、吸着カップ、ホックおよびループファスナー、スナップ留め、リベット、ボタン、あるいは任意の他の好適な構造および／または方法の１つ以上に連結されてもよい。
【００５９】
層状アセンブリ１１０の第２の例が図８に示される。最上層１４０は、最上層１４０を補強するために、最上層１４０の第２の側面に貼り付けられる薄板層１８０を有し得る。最上層１４０の第１および第２の側面の１つまたは両方に薄板を提供することができる。最上層１４０が穿孔部１５０を含む場合、薄板層１８は対応するミシン目も含み得る。同様に、ユーザが（例えば、穿孔ではない）全体の層を剥離するように最上層１４０が構成される場合、薄板層１８０は、（例えば、穿孔ではない）全体の最上層１４０と離れるよう構成される。層状アセンブリ１１０の任意の他の層を薄板化することができ、かつ本発明の範囲内に収まるように企図されることが理解される。薄板層１８０は、最上層１４０の内部が除去される時に、最上層１４０の断裂に抵抗するよう構成される。他の物質を使用することもできるが、薄板層１８０をプラスチック物質から形成することができる。薄板層１８０は、最上層１４０を形成するために使用することができる紙よりも伸縮する能力が低い。したがって、それを引き裂くために追加の力が必要とされ、これは、最上層１４０が穿孔部１５０に沿って引き裂くよう試みるユーザによって不注意に引き裂かれる可能性のある状況を回避する。したがって、薄板層１８０は、最上層１４０の内部が除去される時に、穿孔部１５０が破裂するか、あるいは破損する可能性を低減するために、最上層１４０に追加の強度を提供する。したがって、追加の強度はまた、予想される様式で破損するように穿孔部１５０を改善するよう構成される。薄板層１８０は、パウチ領域に設置される品目に水分保護を提供する利点を提供することもできる。薄板層１８０が提供される場合、所望の画像および／またはテキストを提供するために、製造業者は、最上層１４０を予印刷することができる。
【００６０】
郵便料金領域２９０が提供される、層状アセンブリ２１０の第３の例が図９に示される。郵便料金領域２９０は、最上層の少なくとも一部、またはさらには最上層の全体に相当するよう構成される。郵便料金領域２９０は、ユーザに郵便切手を貼り付けることを案内するよう構成される。あるいは、郵便料金領域２９０は、切手の画像で予印刷される。さらに別の例において、郵便料金領域２９０は、ユーザによってウェブページ等を介して選択またはカスタマイズされた切手で印刷および／またはカスタマイズされるよう構成される。この郵便料金領域２９０を、最上層２４０に沿った任意の場所に設置することができ、層状アセンブリ２１０の全体の大きさを含む、任意の形状または大きさを有することができる。この例において、郵便料金領域２９０は、穿孔部２５０の内部に設置される。一例では、郵便料金領域２９０は、完全に白色であり、「ここに切手を貼って下さい」と提示するテキストを含み得る。第３の例は、透明、部分的に透明、または不透明であり得る最上層２４０の内部２６４を含み得る。
【００６１】
図１０は、郵便料金領域２９０を伴う層状アセンブリ２１０の代替的配置を示す。この例において、郵便料金領域２９０は、穿孔部２５０に重なる。図１１は、層状アセンブリ２１０の別の代替的配置を示す。この例において、郵便料金領域２９０は、穿孔部２５０の外側に設置される。図１２は、層状アセンブリ２１０のさらに別の代替的配置を示す。この例において、層状アセンブリ２１０は、水平配向である。加えて、穿孔部２５０は、郵便料金領域２９０で終了する。これは閉鎖形状を完了しない穿孔部２５０のほんの一例である。穿孔部２５０はさらに、十分な最上層２４０が除去されるのを可能にするよう構成される。穿孔部２５０の本例を、他の図のいずれかにおける他の例のいずれかとともに使用することもできる。
【００６２】
層状アセンブリ例３１０が、透明窓３９４、予印刷された料金別納郵便証領域３９２、および個人化された領域３９６とともに示される、層状アセンブリ３１０の第４の例が図１３に示される。透明窓３９４は、層状アセンブリ３１０のパウチ内に設置される品目に相当する大きさであり得るか、あるいは窓は、品目の一部のみを露出するよう構成されてもよい。この例において、個人化された領域３９６は、「おばあちゃん、こんにちは」または「ご招待します！」等の任意の画像またはテキストを含むことができる。他の例において、予印刷された料金別納郵便証領域３９２、個人化された領域３９６、および透明窓３９４の他の形状および大きさを提供することができる。最上層３４０は、立体印刷、半立体印刷、または透明なカバーである部分を含み得る。例えば、予印刷された料金別納郵便証または個人化された領域３９６を、無色、半立体領域、または透明部の上面に提供することができる。
【００６３】
図１４は、９個の層状アセンブリ４１０のキャリアシートアセンブリ４００を示す。層状アセンブリは、例のいずれかまたは特徴例のいずれかを含み得る。キャリアシートアセンブリ４００を、層状アセンブリ４１０アセンブリを運搬するため、および／または層状アセンブリ４１０アセンブリを別の構造に移すために使用することができる。各々の層状アセンブリ４１０を、キャリアシートアセンブリ４００に載置し、かつそれから切り離すことができる。層状アセンブリ４１０は、それぞれ、キャリアシートアセンブリ４００と比較して、任意の大きさ、形状、および任意の配向を有することができる。
【００６４】
基層４３０および最上層４４０を、キャリアシートアセンブリ４００のライナー層の上面に取り付けることができる。層状アセンブリ４１０の他の構成および他の量を１枚のシートに取り付けることができる。消費者が最上層４４０を個人化することができるように、層状アセンブリ４１０の発明を、未完成の形態で消費者に提供することもできる。最上層４４０は、実質的に、または完全に空白であるが、穿孔部４５０および穿孔部４５０の除去に関する指示を含み得る。各々の層状アセンブリ４１０は、各々の層状アセンブリ４１０の左下方部に剥離タブ４６０を含むこともできる。剥離タブ４６０を、穿孔部４５０の他の角部のいずれかに設置することができる。あるいは、剥離タブ４６０は、穿孔部４５０に沿った他の位置にあってもよく、かつ最上層４４０の一部の除去を促進するために異なる形状を有してもよい。したがって、ユーザは、層状シートをプリンタ内に位置付け、アセンブリの最上層４４０に自らのテキストおよび／または画像を印刷することができる。
【００６５】
別の例では、キャリアシートアセンブリ４００は、４×６または８．５×１１を含むが、それらに限定されない、任意の形状または大きさであり得る。他の量の層状アセンブリを使用することができるが、８．５×１１の例シートは、９個の層状アセンブリを含む。４×６シートは、２個の層状アセンブリを含み得る。シートは、１個の層状アセンブリまたは１より大きい任意の数を含むが、それらに限定されない、任意の数の層状アセンブリを含み得る。
【００６６】
さらに別の例において、キャリアシートアセンブリ４００は、図９〜１２の例に示される郵便料金領域２９０、または図１３の予印刷された料金別納郵便証領域３９２および／もしくは個人化された領域３９６を含み得る。一例では、製造業者は、切手の画像を郵便料金領域２９０に予印刷することができる。別の例では、製造業者は、最上層４４０の全体を切手として予印刷することができる。次に、消費者は、品目７０の中身を層状アセンブリ４１０に加えるであろう。さらに別の例において、消費者は、郵便料金領域２９０に所望する任意のテキストまたは画像をスタマイズおよび印刷することができる。この例において、切手が本物の切手であると証明するために、さらにテキストまたは他の料金別納郵便証を層状アセンブリ４１０に予印刷することができる。さらなる例では、テキストを、穿孔部４５０の外側に含むか、あるいは予印刷することができる。
【００６７】
さらに別の例において、キャリアシートアセンブリ４００は、層状アセンブリ４１０の各々に他の例のいずれかの特徴のいずれかを含むことができる。あるいは、キャリアシートアセンブリ４００上の層状アセンブリ４１０は、同一のキャリアシートアセンブリ４００に設置されるにもかかわらず、多種多様の異なる特徴を有し得る。
【００６８】
図１５は、同一のキャリアシートアセンブリ４００上の図１４の９個の層状アセンブリ４１０の裏面を示す。裏面は、基層４３０およびライナー層に対応する。この観点から、各パウチ領域に対応するパウチ切り込み４３４の開口部を見ることができる。パウチ切り込み４３４は、基層４３０の任意の部分に設置され、任意の方向に延在することができる。この例において、パウチ切り込み４３４は、基層４３０の底部付近に設置される。基層４３０は、実質的に、または完全に空白であり得る。セキュリティ料金別納郵便証（図示せず）、商標料金別納郵便証等の他の料金別納郵便証または予印刷された料金別納郵便証、除去指示、ならびに／または任意の他の機能的および／もしくは装飾的画像を、図８の正面図に示される最上層４４０、基層４３０、またはライナー層、あるいは提供される任意の他の層に提供することができる。
【００６９】
ユーザは、多種多様の方法で、図１４および図１５の層状アセンブリのいずれか、または全てを除去することができる。層状シートは、上記の本明細書に記載されるように、穿孔されるか、あるいはユーザが使用のために容易に層状アセンブリ４１０アセンブリを分離することができるように、切り込み線を含み得る。一例では、マイクロミシン目等の穿孔部が提供される。マイクロミシン目は、ユーザが各々の個々の層状アセンブリ４１０をキャリアシートから切り離すための比較的素早い方法を提供するよう構成される。他のパターンを使用することもできるが、一例では、ダッシュドット反復パターンによって、マイクロミシン目を提供することができる。したがって、ユーザが層状アセンブリ４１０の１つをキャリアシートアセンブリ４００から除去し、表を下にして個々の層状アセンブリ４１０を基板に取り付け、かつユーザが最上層４４０から剥離する時、品目は、ユーザに対して露出される。
【００７０】
図１６は、９個の層状アセンブリ４１０のキャリアシートアセンブリ４００を示す。図１６の例は、図１６がキャリアシートアセンブリに対して水平配向を有することを除いて、図１４と同様である。各々の層状アセンブリ４１０は、各々の層状アセンブリ４１０の左下方部に剥離タブ４６０も含む。剥離タブ４６０を、穿孔部４５０の他の角部のいずれかに設置することができる。あるいは、剥離タブ４６０は、穿孔部４５０に沿った他の位置にあってもよく、かつ最上層４４０の一部の除去を促進するために異なる形状を有し得る。
【００７１】
図１７は、同一のキャリアシートアセンブリ４００上の図１６の９個の層状アセンブリ４１０の裏面を示す。裏面は、基層４３０およびライナー層に対応する。図１７の例は、図１７がキャリアシートアセンブリに対して水平配向を有することを除いて、図１５と同一である。この観点から、各パウチ領域に対応するパウチ切り込み４３４の開口部を見ることができる。パウチ切り込み４３４は、基層４３０の任意の部分に設置され、任意の方向に延在することができる。この例において、パウチ切り込み４３４は、基層４３０の底部付近に設置される。
【００７２】
あるいは、図１８に示されるように、複数の層状アセンブリ５１０をキャリアロール５００に提供することができる。層状アセンブリ５１０は、それぞれ、キャリアロール５００と比較して、任意の大きさ、形状、および任意の配向を有することができる。キャリアロール５００は、ユーザが所望する層状アセンブリ５１０の分量を容易に剥がすことができるように、穿孔部５８２の第１の形式を提供することができる。さらに、またはあるいは、穿孔部５８４の第２の形式を各々の個々の層状アセンブリ周囲に提供することができる。他の形状を提供することもできるが、穿孔部５８４の第２の形式は、層状アセンブリ５１０の形状に実質的に対応する。
【００７３】
図１９に示される、さらに別の代替案では、層状アセンブリ６１０を、倍数単位の単一の箱体６００で販売することができる。層状アセンブリ６１０は、単一の箱体６００で運搬されるか、単一の箱体６００で販売されるか、あるいは単一の箱体６００から取り出されてもよい。層状アセンブリ６１０は、それぞれ、単一の箱体６００と比較して、任意の大きさ、形状、および任意の配向を有することができる。単一の箱体６００は、２、３、４、１０、２０、または２５個の一組の層状アセンブリ６１０を含むが、それらに限定されない、層状アセンブリ６１０の任意の量を含むことができる。単一の箱体６００は、単一の箱体内に設置される層状アセンブリ６１０の１つまたは全てを取り出すために、外面に多種多様の開口部を有し得る。単一の箱体６００の開口部は、単一の箱体６００の外面の任意の部分に沿って、多種多様の閉鎖または再密封可能な機構も有し得る。ともに包装される時、層状アセンブリの各々は、誕生日または記念日等のある特定のイベントに対応する同様の、あるいは予印刷された画像もしくはテキストを有することもできる。加えて、単一の箱体６００の前面は、層状アセンブリ６１０に予印刷された画像またはテキストに対応する画像またはテキストを有し得る。あるいは、単一の箱体６００の前面は、層状アセンブリ６１０に予印刷された画像またはテキストに対応しない画像またはテキストを有し得る。層状アセンブリ６１０はまた、穿孔部６５０または他の例の他の特徴のいずれかを含み得る。さらなる例では、層状アセンブリの各々は、ユーザが層状アセンブリをカスタマイズすることができるように、空白であり得る。
【００７４】
図２０は、単一の層状アセンブリ７１０を形成するための２シートシステム７００の斜視図を示す。層状アセンブリ７１０は、それぞれ、２シートシステム７００と比較して、任意の大きさ、形状、および任意の配向を有することができる。他の例において、２シートシステム７００を用いて単一の層状アセンブリ７１０を形成することができるが、この例において、９個の層状アセンブリ７１０が形成される。２シートシステム７００を、単一の層状アセンブリまたは複数の層状アセンブリのいずれかを形成するために用いることができる。この例において、第１のシート７１４および第２のシート７１６を含む単一の層状アセンブリ７１０がユーザに提供される。第１のシート７１４は、第１の側面７３２および第２の側面７３３を有する基層７３０を含み、第１の接着剤層７４６は、基層７３０の第１の側面７３２上に提供され、第１のライナー層７１２は、第１の接着剤層７４６上に提供される。第２のシート７１６は、第１の側面７４２および第２の側面７４４を有する最上層７４０を含み、第２の接着剤層７４８は、最上層７４０の第１の側面７４２上に提供され、第２のライナー層７１３は、第２の接着剤層７４８上に提供される。基層７３０、ライナー層７１２、最上層７４０、開口部７３６、パウチ領域７７０、およびタブ部においてすでに議論された他の例のいずれかを２シートシステムで使用することもできる。
【００７５】
ユーザは、基層７３０の第２の側面に任意の画像またはテキストを印刷することができ、かつユーザは、最上層７４０の第２の側面に任意の画像またはテキストを印刷することもできる。ユーザが要望通りに第１のシート７１４および第２のシート７１６をカスタマイズした時、次にユーザは、第１のシート７１４を第２のシート７１６上に取り付けることができる。したがって、第２の接着剤層７４８が基層７３０の第２の側面上に提供されるように、第２のライナー層７１３が除去される。第２の接着剤層７４８は、一例では、パウチ領域７７０が基層７３０と最上層７４０との間の空間に設置されるように、最上層７４０の最小の外側部のみを被覆する。
【００７６】
いったん第１のシート７１４が第２のシート７１６に固定されると、ユーザは、基層７３０の開口部７３６の使用を介して、品目をパウチ領域内に装填することができる。開口部７３６は、基層７３０の一部を通るパウチ領域へのアクセスを提供するために、基層７３０の周囲内に提供される。パウチ切り込みによって、開口部７３６を提供することができる。品目が装填された後、第１の接着剤層７４６を曝露するために、第１のライナー層７１２を除去することができる。次に、層状アセンブリ７１０を基板上に接着することができる。いったん層状アセンブリ７１０が基板に貼り付けられると、基層７３０の開口部７３６は、アクセスから密封される。穿孔部７５０等の剥離部は、穿孔部７５０に沿った最上層７４０の一部の除去が、最上層７４０の一部を通るパウチ領域へのアクセスを提供するように、最上層７４０の周囲内に設置される。次に、層状アセンブリ７１０の受取人は、層状アセンブリ７１０内のパウチ領域に装填および固定される品目を露出するために、内部７６４周囲に延在する穿孔部７５０に沿って断裂することによって、最上層７４０の内部７６４を除去することができる。
【００７７】
上記で説明されたことには、本発明の実装例が含まれる。言うまでもなく、本発明を説明する目的で、構成要素または方法論の全ての考えられる組み合わせを説明するのは可能ではないが、当業者は、本発明の多くのさらなる組み合わせおよび置換が可能であることを理解する。したがって、本発明は、本発明の全てのそのような修正、改変、および変形を包含することが意図される。
【００７８】
本開示は、例としてであって、本開示に含有される教示の範囲から逸脱することなく、詳細を追加、改変、または削除することによって、様々な変更が行われ得ることが明らかであるはずである。したがって、本発明は、以下の特許請求の範囲が必然的に限定される程度を除き、本開示の特定の詳細に限定されない。
【図１】
2012527385.tif 000003
【図２】
2012527385.tif 000004
【図３】
2012527385.tif 000005
【図４】
2012527385.tif 000006
【図５】
2012527385.tif 000007
【図６】
2012527385.tif 000008
【図７】
2012527385.tif 000009
【図８】
2012527385.tif 000010
【図９】
2012527385.tif 000011
【図１０】
2012527385.tif 000012
【図１１】
2012527385.tif 000013
【図１２】
2012527385.tif 000014
【図１３】
2012527385.tif 000015
【図１４】
2012527385.tif 000016
【図１５】
2012527385.tif 000017
【図１６】
2012527385.tif 000018
【図１７】
2012527385.tif 000019
【図１８】
2012527385.tif 000020
【図１９】
2012527385.tif 000021
【図２０】
2012527385.tif 000022
【国際調査報告】
2012527385.tif 000023
2012527385.tif 000024